【手続補正書】
【提出日】平成16年9月7日(2004.9.7)
【手続補正１】
【補正対象書類名】明細書
【補正対象項目名】特許請求の範囲
【補正方法】変更
【補正の内容】
【特許請求の範囲】
【請求項１】
像担持体上の静電荷像を、現像装置を用いて現像する現像工程を少なくとも有する画像形成方法であって、前記現像装置は、トナーと、トナーをその外周面に担持するトナー担持体と、一端部が現像装置本体に支持され、他端部側がトナー担持体の表面に当接してトナー担待体上のトナーの層厚を規制するトナー規制部材とを少なくとも有し、前記トナー規制部材は、ゴム材料と金属薄板との２層を有し、且つゴム材料と金属薄板とが接着されておらず、前記トナーは、少なくとも結着樹脂、ワックス及び着色剤を含有しており、該トナーのＤＳＣ測定における吸熱曲線において少なくとも一つの極大値を１１０〜１６０℃の温度領域に有することを特徴とする画像形成方法。
【請求項２】
前記ゴム材料と前記金属薄板の間に粉体を介在させることを特徴とする請求項１に記載の画像形成方法。
【請求項３】
前記現像装置は、トナー規制部材とトナー担持体とを少なくとも有する現像容器と、該現像容器に着脱自在に配接されている、トナーを収納するトナー容器とを具備することを特徴とする請求項１又は２に記載の画像形成方法。
【請求項４】
前記トナーは、ＴＨＦ不溶分を含まず、トナーのＴＨＦ可溶分がＧＰＣクロマトグラムにおいて、分子量１×１０５〜３×１０６の領域にピーク又はショルダーの高分子量ピークを少なくとも有し、前記高分子量の割合が５〜４５質量％であることを特徴とする請求項１〜３のいずれか一項に記載の画像形成方法。
【請求項５】
前記ワックスは、ａ）ポリプロピレンとポリエチレンとの混合物、ｂ）ポリプロピレンとポリエチレン誘導体との混合物、ｃ）ポリプロピレンとポリプロピレン誘導体との混合物、とからなる群より選ばれる少なくとも１種の混合物を有することを特徴とする請求項１〜４のいずれか一項に記載の画像形成方法。
【請求項６】
像担持体上の静電荷像を、現像装置を用いて現像する現像工程を少なくとも有し、前記現像装置は、トナーと、トナーをその外周面に担持するトナー担持体と、一端部が現像装置本体に支持され、他端部側がトナー担持体の表面に当接してトナー担待体上のトナーの層厚を規制するトナー規制部材とを少なくとも有し、前記トナー規制部材は、ゴム材料と金属薄板との２層を有し、且つゴム材料と金属薄板とが接着されていないことを特徴とする画像形成方法に用いるトナーであって、少なくとも結着樹脂、ワックス及び着色剤を含有しており、該トナーのＤＳＣ測定における吸熱曲線において少なくとも一つの極大値を１１０〜１６０℃の温度領域に有することを特徴とするトナー。
【請求項７】
前記ゴム材料と前記金属薄板の間に粉体を介在させることを特徴とする請求項６に記載のトナー。
【請求項８】
前記現像装置は、トナー規制部材とトナー担持体とを少なくとも有する現像容器と、該現像容器に着脱自在に配接されている、トナーを収納するトナー容器とを具備することを特徴とする請求項６又は７に記載のトナー。
【請求項９】
ＴＨＦ不溶分を含まず、トナーのＴＨＦ可溶分がＧＰＣクロマトグラムにおいて、分子量１×１０５〜３×１０６の領域にピーク又はショルダーの高分子量ピークを少なくとも有し、前記高分子量の割合が５〜４５質量％であることを特徴とする請求項６〜８のいずれか一項に記載のトナー。
【請求項１０】
前記ワックスは、ａ）ポリプロピレンとポリエチレンとの混合物、ｂ）ポリプロピレンとポリエチレン誘導体との混合物、ｃ）ポリプロピレンとポリプロピレン誘導体との混合物、とからなる群より選ばれる少なくとも１種の混合物を有することを特徴とする請求項６〜９のいずれか一項に記載のトナー。
【手続補正２】
【補正対象書類名】明細書
【補正対象項目名】０００５
【補正方法】変更
【補正の内容】
【０００５】
一成分系現像剤を用いた現像方法としては、種々の方法が検討されている。例えば、特開昭５５−１８６５６号公報においてジャンピング現像方法が提案されている。回転体であるトナー担持体の外面にゴム部材等の弾性体で構成される弾性ブレードが当接され、それ自身が所定量変位した場合に生じる弾性力の作用によりトナー担持体に加圧状態で当接しつつ、該トナー担持体の回転に伴ってこのトナー担持体を摺擦するものであり、トナー担持体の外周面に磁カの作用等で吸着保持されたトナーの層厚を均一に規制するとともに、トナーを摩擦してこれを摩擦帯電させる働きを有するものである。
【手続補正３】
【補正対象書類名】明細書
【補正対象項目名】００３３
【補正方法】変更
【補正の内容】
【００３３】
像担持体２は有機系感光体からなり、帯電ローラ１により均一に帯電された後、不図示のレーザスキャナにより画像信号により変調されたレーザ光Ｌが照射され、所望の静電荷像が形成される。この静電荷像は、現像装置４内部に収容されたトナーＴにより反転現像されトナー像として可視化現像される。一方、不図示の給紙手段により給紙された転写材Ｐは、一対の搬送ローラ５ａ、５ｂ、及び転写入り口ガイド６ａ、６ｂにより転写部位に導かれ、トナーと逆極性の電圧が印加され、像担持体とニップを形成する転写手段としての転写ローラ７により、上記トナー像が転写材Ｐ上に転写される。その後、転写材Ｐは過剰な転写電流を除電針８により除去された後、搬送ガイド（搬送ユニット）１０により搬送され、定着装置１００へ導かれ、転写材Ｐ上のトナー像が熱定着される。転写後、像担持体表面に残留したトナーは、クリーナ９によってクリーニングされ、再び同じ画像形成プロセスが繰り返される。
【手続補正４】
【補正対象書類名】明細書
【補正対象項目名】００４７
【補正方法】変更
【補正の内容】
【００４７】
本発明のトナーが、トナーのＤＳＣチャートの吸熱曲線で極大値を１１０〜１６０℃の温度領域に有するには以下に示すワックスを用いればよい。本発明のトナーに用いられるワックスとしては次のものが挙げられ、これらは単独又は複数組み合わせてもよい。低分子量ポリエチレン、低分子量ポリプロピレン、マイクロクリスタリンワックス、パラフィンワックス等の脂肪族炭化水素系ワックス；酸化ポリエチレンワックス等の脂肪族炭化水素系ワックスの酸化物；それらのブロック共重合物；カルナバワックス、サゾールワックス、モンタン酸エステルワックス等の脂肪酸エステルを主成分とするワックス；脱酸カルナバワックス等の脂肪酸エステル類を一部又は全部を脱酸化したものが挙げられる。さらにパルミチン酸、ステアリン酸、モンタン酸、あるいは更に長鎖のアルキル基を有する長鎖アルキルカルボン酸等の飽和直鎖脂肪酸；ブランジン酸、エレオステアリン酸、パリナリン酸等の不飽和脂肪酸類；ステアリンアルコール、アラルキルアルコール、ベヘニルアルコール、カルナウビルアルコール、セリルアルコール、メリシルアルコール、あるいは更に長鎖のアルキル基を有する長鎖アルキルアルコール類等の飽和アルコール；ソルビトール等の多価アルコール類；リノール酸アミド、オレイン酸アミド、ラウリン酸アミド等の脂肪酸アミド類；メチレンビスステアリン酸アミド、エチレンビスカプリン酸アミド、エチレンビスラウリン酸アミド、ヘキサメチレンビスステアリン酸アミド等の飽和脂肪酸ビスアミド類、エチレンビスオレイン酸アミド、ヘキサメチレンビスオレイン酸アミド、Ｎ，Ｎ′−ジオレイルアジピン酸アミド、Ｎ，Ｎ′−ジオレイルセバシン酸アミド等の不飽和脂肪酸アミド類；ｍ−キシレンビスステアリン酸アミド、Ｎ，Ｎ′−ジステアリルイソフタル酸アミド等の芳香族系ビスアミド類；ステアリン酸カルシウム、ラウリン酸カルシウム、ステアリン酸亜鉛、ステアリン酸マグネシウム等の脂肪酸金属塩（一般に金属石けんといわれているもの）；脂肪族炭化水素系ワックスにスチレンやアクリル酸等のビニル系モノマーをグラフト化したグラフトワックス；ベヘニン酸モノグリセリド等の脂肪酸と多価アルコールの部分エステル化物；植物油脂を水素添加することによって得られるヒドロキシル基を有するメチルエステル化合物が挙げられる。
【手続補正５】
【補正対象書類名】明細書
【補正対象項目名】００４９
【補正方法】変更
【補正の内容】
【００４９】
本発明に用いられるワックスは、ａ）ポリプロピレンとポリエチレンとの混合物、ｂ）ポリプロピレンとポリエチレン誘導体との混合物、ｃ）ポリプロピレンとポリプロピレン誘導体との混合物からなる群より選ばれる少なくとも１種の混合物が好ましく用いられる。このような混合物をトナーに含有させると、トナーに高い離型性、すべり性を付与することができ、トナー規制部材表面への傷や削れをより効果的に抑制することができる。